(57)【特許請求の範囲】
【請求項１】
番組ガイド情報を放送番組と共に放送信号として情報受信装置に伝送する情報伝送装置において、
放送局ごとに時間帯に対応する各テレビ番組のガイド欄を有する番組ガイド領域を上記情報受信装置の表示画面上の一部に表示させる第１の情報と、
上記情報受信装置の当該表示画面において、ユーザがカーソルによって上記テレビ番組のガイド欄の１つを選択したとき、上記表示画面の他部に、当該選択されたテレビ番組のガイド欄の表示内容に対応する第１の広告情報を表示する第１のＣＭ表示領域を表示させる第２の情報と、
ユーザが上記カーソルによる選択を決定したとき、上記表示画面に、当該選択したガイド欄の詳細を表す番組詳細画面を表示し、かつ当該番組詳細画面の一部にある第２のＣＭ表示領域に上記番組詳細画面の表示内容に対応する第２の広告情報を表示させる第３の情報と
を、上記放送信号として上記情報受信装置に伝送する情報伝送装置。
【請求項２】
上記第１及び第２の広告情報は少なくとも画像データを含むことを特徴とする請求の範囲第１項に記載の情報伝送装置。
【請求項３】
上記第１及び第２の広告情報はさらに音声データを含むことを特徴とする請求の範囲第２項に記載の情報伝送装置。
【請求項４】
上記第１及び第２の広告情報は、当該広告のさらに詳細な情報を提供するコンピユータのアドレス情報を含むことを特徴とする請求の範囲第１項に記載の情報伝送装置。
【請求項５】
上記番組ガイド情報は、データ量に応じた複数の階層により構成されており、データ量の少ない第１の階層において上記第１及び第２の広告情報を識別する識別情報が含まれ、データ量の多い第２の階層において上記第１及び第２の広告情報を識別する識別情報と実際の上記第１及び第２の広告情報とが含まれていることを特徴とする請求の範囲第１項に記載の情報伝送装置。
【請求項６】
番組ガイド情報が放送番組と共に伝送される放送信号を受信する情報受信装置において、
放送局ごとに時間帯に対応する各テレビ番組のガイド欄を有する番組ガイド領域を表示画面の一部に表示させる手段と、
当該表示画面において、ユーザがカーソルによって上記テレビ番組のガイド欄の１つを選択したとき、上記表示画面の他部に、当該選択されたテレビ番組のガイド欄の表示内容に対応する第１の広告情報を表示する第１のＣＭ表示領域を表示させる手段と、
ユーザが上記カーソルによる選択を決定したとき、上記表示画面に、当該選択したガイド欄の詳細を表す番組詳細画面を表示し、かつ当該番組詳細画面の一部にある第２のＣＭ表示領域に上記番組詳細画面の表示内容に対応する第２の広告情報を表示させる手段と
を具える情報受信装置。
【請求項７】
さらに、上記番組ガイド領域及び上記第１のＣＭ表示領域を表示させた状態において、さらに操作メニュー領域を表示させる手段と、
当該表示画面において、ユーザがカーソルによって上記操作メニュー領域に表示されている操作メニューの１つを選択したとき、上記表示画面に、当該操作メニューの詳細を表わす操作画面を表示し、かつ当該操作画面の一部にある第３のＣＭ表示領域に上記操作メニューの詳細の表示内容に対応する第３の広告情報を表示させる手段と
を具える請求の範囲第６項に記載の情報受信装置。
【請求項８】
さらに、表示画面上に上記第１、第２又は第３の広告情報がそれぞれ上記第１、第２又は第３のＣＭ表示領域に表示されている状態において、ユーザが上記カーソルによって上記第１、第２又は第３のＣＭ表示領域をクリックしたとき、通信手段を介して外部情報供給手段から第４の広告情報を受信して上記表示手段に表示させる手段
を具える請求の範囲第６項及び７項のいずれか一方の情報受信装置。
【発明の詳細な説明】
技術分野
本発明は情報伝送装置及び情報受信装置に関し、例えば、衛星放送を介して伝送される多数のテレビジヨン番組の中から、視聴者が必要とする番組を選択する際に各番組に関する情報をガイド表示する番組放送システムに適用して好適なものである。
背景技術
近年、放送衛星を介して視聴者にテレビジヨン番組を配信する衛星放送システムでは、複数チヤンネルの番組データをＭＰＥＧ２（Ｍｏｖｉｎｇ  Ｐｉｃ−ｔｕｒｅ  Ｉｍａｇｅ  Ｃｏｄｉｎｇ  Ｅｘｐｅｒｔｓ  Ｇｒｏｕｐ  ｐｈａｓｅ２）を用いて圧縮符号化処理及び多重化処理して伝送する方法が考えられている。このようなデイジタル伝送方法によれば、膨大な数の番組を同時に伝送することができ、視聴者が選択できる番組数が格段と多くなる。
ところで、このようなＭＰＥＧ２によつて符号化及び多重化された番組データは、番組ガイド情報と多重されて伝送される。この番組ガイド情報は、受信機において、例えば新聞のテレビ番組ガイド欄のような形式で表示される。
このような番組ガイド情報は、受信機側でいつでも受信できるように繰返し伝送されるようになされているが、番組数が多くなればなるほどデータ量が大きくなる。また将来放送予定の番組のガイド情報も伝送されるため、放送予定日が何日先までの番組の番組ガイド情報を伝送するかによってもデータ量は変わってくる。このような大量のデータを瞬時に受信機側で表示するために、受信装置にハードデイスク等の記憶媒体を設けておき、伝送される番組データを常に蓄積しておくことが考えられる。
ところが、受信装置側にハードデイスク等の記憶媒体を設ける場合には、受信装置全体として構成が複雑化及び大型化するため、視聴者にその分だけコスト負担を与える問題があつた。送信側においても、伝送しようとするデータ量が多くなると、繰返し伝送可能な回数が少なくなってしまい、結果的に即座に受信機側で番組ガイドの表示を行なうことができなくなってしまうため、番組ガイド情報として伝送されるデータ量は必然的に最低限に押さえられてしまっていた。そのため、ユーザーとしては、もっと詳しい番組の説明などが知りたい場合でも、情報として伝送されていなかったり、伝送されていたとしても、受信するまでに非常に長い時間がかかったりしていた。さらに番組とは直接関係のない情報、例えばＣＭなどの詳細情報については伝送されていなかった。
発明の開示
本発明は以上の点を考慮してなされたもので、番組データとともに伝送される配布情報を受信側で蓄積することなく必要に応じて容易に入手し得る情報伝送方法及びテレビジヨン放送受信装置を提案しようとするものである。
かかる課題を解決するため本発明においては、番組ガイド情報を放送番組と共に放送波として伝送し、又は受信する情報伝送装置又は情報受信装置において、放送局ごとに時間帯に対応する各テレビ番組のガイド欄を有する番組ガイド領域を表示画面上の一部に表示させる手段と、当該表示画面において、ユーザがカーソルによってテレビ番組のガイド欄の１つを選択したとき、表示画面の他部に、当該選択されたテレビ番組のガイド欄の表示内容に対応する第１の広告情報を表示する第１のＣＭ表示領域を表示させる手段と、ユーザがカーソルによる選択を決定したとき、表示画面に、当該選択したガイド欄の詳細を表す番組詳細画面を表示し、かつ当該番組詳細画面の一部にある第２のＣＭ表示領域に番組詳細画面の表示内容に対応する第２の広告情報を表示させる手段とを設けるようにする。
ＥＰＧ画面から階層が異なる詳細情報を得るために、番組詳細画面を開いたとき、その内容に対応する広告情報をユーザに見せるもので、階層の違いに基づいて異なるコマーシャルが出て来ることにより、ユーザの興味に近いコマーシャルが期待できるので、その広告効果は大きい。
【図面の簡単な説明】
図１は、本発明による番組放送システムの全体構成を示すブロツク図である。
図２は、本発明による送信装置の構成を示すブロツク図である。
図３は、ＥＰＧデータの構造の説明に供する略線図である。
図４は、図３のＥＰＧデータのうち番組内容データの構造の説明に供する略線図である。
図５は、受信装置の構成を示すブロツク図である。
図６は、図５の受信装置内に設けられた受信復号装置の構成を示すブロツク図である。
図７は、Ｂデータ及び画面レイアウトの構成を示す略線図である。
図８は、Ｂデータ及び画面レイアウトの構成を示す略線図である。
図９は、Ｃデータを作成するまでのデータ参照過程の説明に供する略線図である。
図１０は、リモートコマンダの外観構成を示す平面図である。
図１１は、ＥＰＧの表示処理手順を示すフローチヤートである。
図１２は、モニタ装置の表示画面に表示された情報提供番組の説明に供する略線図である。
図１３は、ＣＭ情報の表示処理手順を示すフローチヤートである。
図１４は、ホームページの表示例を示す略線図である。
図１５は、他の実施の形態による番組ガイド表示装置の外観構成を示す略線的な斜視図である。
発明を実施するための最良の形態
以下図面について、本発明の実施例を詳述する。
（１）番組放送システムの全体構成
図１において１は全体として番組放送システムを示し、放送局では、種々のテレビ番組を制作すると共に、複数のＣＭスポンサとの広告契約により各ＣＭスポンサから提供される広告情報に基づいて種々のＣＭを制作する。さらに、この放送局では、通常のテレビ番組の他に、番組ガイドに複数のＣＭスポンサから提供される広告情報を重畳するようになされている。
この放送局内に設けられた送信装置２は、ＭＰＥＧ２システムズによつて規定されているトランスポートストリームによつて、複数のチヤンネルを構成するテレビ番組及びＣＭの映像音声データ（以下、これらをそれぞれ番組データ及びＣＭデータと呼ぶ）を送信すると同時に、番組ガイド情報（以下、これをＥＰＧ（Ｅｌｅｃｔｒｏｎｉｃ  Ｐｒｏｇｒａｍ  Ｇｕｉｄｅ）データと呼ぶ）を送信するようになされている。
ＭＰＥＧ２システムズでは、多数の個別のトランスポートストリームを、比較的短い伝送単位のトランスポートパケツトで時分割多重することにより、多チヤンネルのプログラム情報を伝送できるようになされている。
トランスポートパケツトのヘツダ部分には、パケツトデータの内容識別情報が割り当てられており、当該放送波を受信した受信装置において、この内容識別情報によつてデコード動作に必要なパケツトを分離する。
各受信装置４Ａ、４Ｂ……では、受信した放送波Ｓ１に基づく多重化されたトランスポートストリームの中から所望チヤンネルの番組データ、ＣＭデータ、ＥＰＧデータの各トランスポートパケツトを抽出し、これらトランスポートパケツトに格納されている映像音声データに基づいて番組及びＣＭのデコード・表示処理及び番組ガイドの表示処理を行なうようになされている。
ここで、各ＣＭスポンサ及び放送局（図１）はそれぞれインターネツト５に接続された端末装置６Ａ、６Ｂ、……及び７を有し、当該端末装置６Ａ、６Ｂ、……及び７はそれぞれインターネツト５に接続されている。これにより、各端末装置６Ａ、６Ｂ、……及び７は、それぞれＷＷＷサーバとして独自のホームページを開設することができると共に、他の端末装置によつて開設されたホームページを検索し、必要に応じて当該検索されたホームページの情報を表示することができる。
また各受信装置４Ａ、４Ｂ、……はそれぞれ内部にモデムが設けられており、インターネットサービスプロバイダ（図示せず）を介してインターネツト５に接続することが可能である。これにより、各受信装置４Ａ、４Ｂ、……はそれぞれＷＷＷサーバに開設された種々のホームページを検索し、所望のホームページの情報を取り込むことができる。
（２）送信装置の構成
放送局の送信装置２は、図２に示すように、送出管理データ生成部１０において、放送時刻情報、番組ＩＤなどのデータからなる送出管理データを生成し、これを送出管理データＤBCとして主制御部１１及びＥＰＧエデイタ１２に供給する。主制御部１１は、送出管理データＤBCに基づいて各番組の送出タイミングを表すタイミング制御信号ＳTMを生成し、これをエンコーダ１３及び１４並びにＥＰＧ副制御部１５に送出してそれぞれの回路におけるデータの送出動作を制御する。
映像データ生成部１６び音声データ生成部１７は、種々の番組データ及びＣＭデータを構成する映像データＤV及び音声データＤAを生成して、それぞれエンコーダ１３及び１４を介してＭＰＥＧ２による圧縮符号化処理を行つた後、タイミング制御信号ＳTMに同期させてマルチプレクサ１８に供給する。
またＥＰＧエデイタ１２は、送出管理データＤBCと、複数のＣＭスポンサ（図１）から提供される広告情報ＤCMとを取り込み、これらに基づいて、ＥＰＧデータＤEPGを作成してＥＰＧ副制御部１５に供給する。ＥＰＧ副制御部１５は、供給されるＥＰＧデータＤEPGをタイミング制御信号ＳTMに同期させてマルチプレクサ１８に供給する。
マルチプレクサ１８は、主制御部１１の制御のもとに、符号化された映像データＤV、音声データＤA、ＥＰＧデータＤEPGを時分割多重化することにより、これらをトランスポートストリームＴＳとして伝送する。
（３）ＥＰＧデータの構造
ここで送信装置２のＥＰＧエデイタ１２において生成されたＥＰＧデータＤEPGは、図３に示すように、現在時刻から数十時間後までの各放送チヤンネルの番組に関する情報（例えば、番組のチヤンネル、放送時間、タイトル、ジヤンル、番組解説等）（以下、これを番組内容データと呼ぶ）ＤPCと、番組表や番組の詳細な情報を表示する画面のレイアウトに関する情報（以下、これを画面レイアウトデータと呼ぶ）ＤMLとから構成される。
番組内容データＤPCは、正規放送用、再放送用、キー局放送用又は地方局放送用などの放送形態が割り当てられた複数の番組について、当該各番組ごとにそれぞれ種々の番組内容を表す情報群を割り当てたデータ（以下、これをＡ１データと呼ぶ）と、Ａ１データにおける複数の番組に共通する固有の情報群のみを１つの番組として整理したデータ（以下、これをＡ２データと呼ぶ）と、Ａ１データ及びＡ２データの各番組を構成する種々の情報群の詳細内容を表したデータ（以下、これをＡ３データと呼ぶ）とから階層的に構成されている。ここでＡ１データは、放送年月日や放送開始時刻等の放送形態によって変更される可能性があるデータからなり、Ａ２データは、番組名の他、番組詳細情報、静止画、音声、動画、出演者名等の放送形態によって変更される可能性のない固定の情報からなる。さらに、Ａ３データは、静止画、音声、動画、あらすじ、出演者名、放送形式、カテゴリ、放送局名等の詳細なデータであって、比較的データ量の多いデータからなる。デジタル衛星放送のように多チャンネルとなると、同じ番組が時間を隔てて繰返し放送されるため、繰返し放送された場合に変化する番組情報がＡ１データとされ、繰返し放送された場合に変化しない番組情報がＡ２データとされる。
詳細には、Ａ１データＤA1は、図４Ａに示すように、各番組（正規放送用Ｆ１及び再放送用Ｆ２）について、Ａ１データであることを示す「Ａ１データタグ」、Ａ１データのシリアル番号を示す「Ａ１データシリアルＮＯ」、Ａ２データを参照するためのシリアル番号を表す「Ａ２データシリアルＮＯ」、さらには「放送年月日」、「開始時刻」、「終了時刻」、「放送局ＮＯ」、例えばニユース、娯楽、映画等の番組の種類の番号を表す「番組カテゴリＮＯ」、「サブカテゴリＮＯ」、例えばステレオ、バイリンガル、クリアビジヨン等の形式番号を表す「放送形式ＮＯ」、ＣＭ情報であることを示す「ＣＭタグＮＯ」等のデータが割り当てられた構成からなる。
またＡ２データＤA2は、図４Ｂに示すように、Ａ１データの各番組間で共通するデータをまとめて整理した番組（基本番組）Ｆ３でなり、Ａ２データであることを示す「Ａ２データタグ」、Ａ２データのシリアル番号を示す「Ａ２データシリアルＮＯ」、「番組名」、「番組詳細情報ＮＯ」、「静止画ＮＯ」、「音声ＮＯ」、「動画ＮＯ」、「出演者数」、「出演者名ＮＯ〔０〕」、……「出演者名ＮＯ〔Ｎ〕」等のように、番組名の他、番組詳細情報、静止画、音声、動画、出演者名等のデータを参照するための各シリアル番号等から構成される。
さらにＡ３データＤA3は、図４Ｃに示すように、Ａ１データ及びＡ２データの各番組のうち、静止画、音声、動画、あらすじ、出演者名、放送形式、カテゴリ、放送局名、ＣＭ等についての詳細内容を表すデータから構成される。
例えば、放送局に関するデータＦ４は、Ａ３データであることを示す「Ａ３放送局タグ」、「放送局ＮＯ」及び「放送局名」から構成される。またカテゴリに関するデータＦ５は、「Ａ３カテゴリタグ」、「カテゴリＮＯ」及び「カテゴリ名」から構成される。さらに放送形式に関するデータＦ６は、「Ａ３放送形式タグ」、「放送形式ＮＯ」及び「放送形式名」から構成される。出演者に関するデータＦ７は、「Ａ３ゲストタグ」、「出演者ＮＯ」、「出演者名」、出演者情報」及び「出演者静止画ＮＯ」から構成される。番組詳細情報のデータＦ８は、「Ａ３ガイドタグ」、「番組詳細情報ＮＯ」及び「番組詳細情報」から構成される。
また静止画のデータＦ９は、「Ａ３ピクチヤタグ」、「静止画ＮＯ」及び「静止画データ」から構成される。音声データＦ１０は、「Ａ３サウンドタグ」、「音声ＮＯ」及び「音声データ」から構成される。動画データＦ１１は、「Ａ３ムービータグ」、「動画ＮＯ」及び「動画データ」から構成される。
さらにＣＭに関するデータＦ１２は、「Ａ３ＣＭタグ」、「表示位置データ」、「ＣＭ静止画ＮＯ」、「ＣＭ音声ＮＯ」、「ＣＭ動画ＮＯ」、「ＵＲＬ（Ｕｎｉｆｏｒｍ  Ｒｅｓｏｕｒｃｅ  Ｌｏｃａｔｅｒ）」から構成される。このＵＲＬとは、インターネツトの情報資源（例えばＷＷＷサーバ）にアクセスする手段と情報資源の名前とをどのように指定するかを定めた規格をいう。
ここで実際に、例えば番組名「○○○○」という番組が１２時に放送され、１７時に再放送される場合、ＥＰＧエデイタ１２は、「○○○○」についての番組情報を有する送出管理データＤBCに基づいて、まず正規放送用Ｆ１及び再放送用Ｆ２の２つの番組についてのＡ１データＤA1を作成した後、これらのＡ１データＤA1によつて共通に参照されるＡ２データＤA2を作成する。続いてＥＰＧエデイタ１２は、Ａ１データＤA1及びＡ２データＤA2によつて参照される、より詳細なデータからなるＡ３データＤA3を作成する。このＡ３データＤA3のうちＣＭに関するデータＦ１２は、ＥＰＧエデイタ１２が上述の広告情報ＤCMに基づいて作成したデータである。
（４）受信装置の構成
図５の受信装置４において、パラボラアンテナ２０で受信された放送波Ｓ１は、受信復号装置（ＩＲＤ：Ｉｎｔｅｇｒａｔｅｄ  Ｒｅｃｅｉｖｅｒ／Ｄｅ−ｃｏｄｅｒ）２１で復調及び圧縮復号される。この結果得られる映像／音声信号ＳＶ１は、続くＶＨＳ方式のＶＣＲ（Ｖｉｄｅｏ  Ｃａｓｓｅｔｔｅ  Ｒｅ−ｃｏｄｅｒ）２２に送出される。
ＶＣＲ２２は、映像／音声信号ＳＶ１を内部に装填されているビデオテープに記録し、又は、当該映像／音声信号ＳＶ１をそのまま出力ラインからモニタ装置２３に送出することにより、これをモニタ表示する。
また視聴者がリモートコマンダ２４を操作すると、当該操作に応じた指令が赤外線信号ＩＲに変換されて、受信復号装置２１に送出される。受信復号装置２１は、当該指令に基づいてチヤンネル切り換え、ユーザデータの登録／読み出し、当該受信復号装置２１に接続された各機器（ＶＣＲ２２、ＶＣＲ２５、ＤＶＤ２６及びＭＤ２７）への制御信号ＣＯＮＴの送出等、種々の動作を実行する。制御信号ＣＯＮＴは制御ラインを介してＶＣＲ２２に送出される。
この制御信号ＣＯＮＴによつてＶＣＲ２２が制御対象として指定されているとき、当該制御信号ＣＯＮＴによつてＶＣＲ２２が制御される。これに対して制御信号ＣＯＮＴの制御対象として、ＶＣＲ２２に制御ラインを介して順次接続された機器（８ｍｍ方式のＶＣＲ２５、デイジタルビデオデイスクプレーヤ（ＤＶＤ：Ｄｉｇｉｔａｌ  Ｖｉｄｅｏ  Ｄｉｓｃ）２６、ミニデイスクプレーヤ（ＭＤ：Ｍｉｎｉ  Ｄｉｓｃ）２７及びモニタ装置２３）のいずれかが指定されているとき、ＶＣＲ２２は制御信号ＣＯＮＴをそのまま続く８ｍｍ方式のＶＣＲ２５に送出する。
ＶＣＲ２５は、制御信号ＣＯＮＴを入力すると、当該制御信号ＣＯＮＴによつて指定されている機器を判別する。この判別結果がＶＣＲ２５であるとき、ＶＣＲ２５は制御信号ＣＯＮＴによつて指定された動作を実行する。この指示が例えばＶＣＲ２５に装填されている８ｍｍビデオテープを再生する指示である場合、ＶＣＲ２５は当該ビデオテープを再生することにより、再生ビデオ信号ＳＶ３をモニタ装置２３に送出することによりこれを表示する。
また、制御信号ＣＯＮＴによる指示が、受信復号装置２１によつて受信及び復号された放送信号（映像／音声信号ＳＶ１）をＶＣＲ２５において録画する指示である場合、ＶＣＲ２５は、受信復号装置２１からＶＨＳ方式のＶＣＲ２２及びモニタ装置２３を介して入力される映像／音声信号ＳＶ１を録画する。これに対して制御信号ＣＯＮＴの制御対象がＶＣＲ２５ではないとき、ＶＣＲ２５は当該制御信号ＣＯＮＴをそのまま続くＤＶＤ２６に送出する。
ＤＶＤ２６は、制御信号ＣＯＮＴを入力すると、当該制御信号ＣＯＮＴによつて指定されている機器を判別する。この判別結果がＤＶＤ２６であるとき、ＤＶＤ２６は制御信号ＣＯＮＴによつて指定された動作を実行する。この指示が例えばＤＶＤに装填されているデイスクから映像及び又は音声を再生する指示である場合、ＤＶＤ２６は当該デイスクを再生することにより、映像／音声信号ＳＶ４をモニタ装置２３に送出することによりこれを表示する。これに対して制御信号ＣＯＮＴの制御対象がＤＶＤ２６ではないとき、ＤＶＤ２６は当該制御信号ＣＯＮＴをそのまま続くＭＤ２７に送出する。
ＭＤ２７は、制御信号ＣＯＮＴを入力すると、当該制御信号ＣＯＮＴによつて指定されている機器を判別する。この判別結果がＭＤ２７であるとき、ＭＤ２７は制御信号ＣＯＮＴによつて指定された動作を実行する。この指示が例えばＭＤ２７に装填されているデイスクを再生する指示である場合、ＭＤ２７は当該デイスクを再生することにより、音声信号ＳＶ５をモニタ装置２３に送出することによりこれを可聴表示する。
また、制御信号ＣＯＮＴによる指示が、受信復号装置２１によつて受信及び復号された放送信号（映像／音声信号ＳＶ１）をＭＤ２７において録音する指示である場合、ＭＤ２７は、受信復号装置２１からＶＨＳ方式のＶＣＲ２２及びモニタ装置２３を介して入力される映像／音声信号ＳＶ１の音声信号を録音する。これに対して制御信号ＣＯＮＴの制御対象がＭＤ２７ではないとき、ＭＤ２７は当該制御信号ＣＯＮＴをそのまま続くモニタ装置２３に送出する。このとき、モニタ装置２３は当該制御信号ＣＯＮＴによつて指定された動作を実行する。
（５）受信復号装置の構成
図６に示すように、受信復号装置２１ではパラボラアンテナ２０のＬＮＢ（Ｌｏｗ  Ｎｏｉｓｅ  Ｂｌｏｃｋ  ｄｏｗｎｃｏｎｖｅｒｔｅｒ）２０Ａによつて受信された放送波はフロントエンド３０に供給される。なお、この放送波には規定のフオーマツトに従つて番組ガイド情報（ＥＰＧデータ）等が重畳されている。
フロントエンド３０には、チユーナ３１、復調回路３２、エラー訂正回路３３が設けられており、各回路部がシステムコントローラ４４によつて制御されている。アンテナ２０で受信された放送波は、フロントエンド３０のチユーナ３１に供給される。チユーナ３１はシステムコントローラ４４の制御に対応してチユーニング処理を行うようになされている。チユーナ３１の出力は、復調回路３２に供給されて復調される。復調回路３２の出力は、エラー訂正回路３３に供給されてエラー検出やエラー訂正がされ、また必要に応じて補正される。
ＣＰＵ、ＲＯＭ及びＲＡＭからなるＩＣカードにより構成されているＣＡＭ（Ｃｏｎｄｉｔｉｏｎａｌ  Ａｃｃｅｓｓ  Ｍｏｄｕｌｅ）３４には、暗号を解読するために必要なキーが、解読プログラムとともに格納されている。放送衛星を介して送信される信号は暗号化されているため、この暗号を解読するためにはキーと解読処理が必要となる。そこで、カードリーダインタフエイス３５を介してＣＡＭ３４からこのキーが読み出され、デマルチプレクサ３６に供給される。デマルチプレクサ３６は、このキーを利用して暗号化された信号を解読する。
デマルチプレクサ３６は、フロントエンド３０のエラー訂正回路３３から出力される信号を受け、ＤＲＡＭ（Ｄｙｎａｍｉｃ  Ｒａｎｄｏｍ  Ａｃｃｅｓｓ  Ｍｅｍｏｒｙ）又はＳＲＡＭ（Ｓｔａｔｉｃ  Ｒａｎｄｏｍ  Ａｃｃｅｓｓ  Ｍｅｍｏｒｙ）から構成されるデータバツフアメモリ５１に一旦記憶させる。そして適宜これを読み出すと共に、読み出した信号のうちビデオ信号をＭＰＥＧビデオデコーダ３７に供給し、オーデイオ信号をＭＰＥＧオーデイオデコーダ３８に供給する。
ＭＰＥＧビデオデコーダ３７は、デマルチプレクサ３６から供給されたデイジタルビデオ信号をＤＲＡＭ３７Ａに記憶し、ＭＰＥＧ方式により圧縮されているビデオ信号のデコード処理を実行する。デコードされたビデオ信号は、ＮＴＳＣエンコーダ３９に供給され、ＮＴＳＣ方式の輝度信号（Ｙ）、クロマ信号（Ｃ）及びコンポジツト信号（Ｖ）に変換される。輝度信号（Ｙ）及びクロマ信号（Ｃ）は、バツフアアンプ４０Ｙ及び４０Ｃを介して、それぞれＳビデオ信号として出力される。また、コンポジツト信号は、バツフアアンプ４０Ｖを介して出力される。
ＭＰＥＧオーデイオデコーダ３８は、デマルチプレクサ３６から供給されたデイジルタオーデイオ信号をＤＲＡＭ３８Ａに記憶し、ＭＰＥＧ方式により圧縮されているオーデイオ信号のデコード処理を実行する。デコードされたオーデイオ信号は、Ｄ／Ａ変換器４１においてデイジタル／アナログ変換され、左チヤンネルのオーデイオ信号はバツフアアンプ４２Ｌを介して出力され、右チヤンネルのオーデイオ信号は、バツフアアンプ４２Ｒを介して出力される。
ＲＦモジユレータ４３は、ＮＴＳＣエンコーダ３９が出力するコンポジツト信号と、Ｄ／Ａ変換器４１が出力するオーデイオ信号とをＲＦ信号に変換して出力する。また、このＲＦモジユレータ４３は、テレビジヨン（ＴＶ）モードが設定されたときは、ケーブルボツクス等の他のＡＶ機器から入力されるＮＴＳＣ方式のテレビジヨン信号をスルーして、他の機器に出力する。この実施の形態の場合、これらのビデオ信号及びオーデイオ信号が、ＡＶラインを介してＶＣＲ２２に供給される。
システムコントローラ４４は、ＲＯＭ（Ｒｅａｄ  Ｏｎｌｙ  Ｍｅｍｏｒｙ）４５に記憶されているプログラムに従って各種の処理を実行する。例えば、フロントエンド３０に設けられているチユーナ３１、復調回路３２及びエラー訂正回路３３などを制御する。
このシステムコントローラ４４に対しては、フロントパネル４７の操作ボタンスイツチ（図示せず）を操作することによつて所定の指令を直接入力することができる。また、リモートコマンダ２４の操作キーを操作すると、リモートコマンダ２４のＩＲ発信部によつて赤外線信号が出力され、この赤外線信号がＩＲ受信部４８により受光され、受光結果がシステムコントローラ４４に供給される。従つて、リモートコマンダ２４を操作することによつてもシステムコントローラ４４に所定の指令を入力することができる。
またデマルチプレクサ３６は、フロントエンド３０から供給されるＭＰＥＧビデオデータ及びオーデイオデータ以外のＥＰＧデータＤEPG（バッファメモリ５１に一時的に記憶されている）を取り込み、システムコントローラ４４を介してマルチメデイアプロセツサ４６に供給する。マルチメデイアプロセツサ４６は、ＥＰＧ処理部４６Ａ、ブラウザ制御部４６Ｂ、メモリ４６Ｃ、グラフイツクエンジン４６Ｄ等より構成され、番組表等の画面を表示するためのデータを生成する他、インターネツトのブラウザソフトも内蔵しており、ＨＴＭＬ（Ｈｙｐｅｒ  Ｔｅｘｔ  Ｍａｒｋｕｐ  Ｌａｎｇｕａｇｅ）処理も行う。
この番組ガイド情報（ＥＰＧデータ）には、現在時刻から所定時間後までの各放送チヤンネルの番組に関する情報（例えば、番組の静止画の他、チヤンネル、放送時間、タイトル、カテゴリ等）が含まれている。この番組ガイド情報は、頻繁に伝送されてくるため、マルチメデイアプロセツサ４６のメモリ４６Ｃには常に最新のＥＰＧデータが保持されている。
ＥＰＧ処理部４６Ａは、画面レイアウトデータＤMLに基づく表示画面のレイアウトに対応して、メモリ４６Ｃに記憶されたＥＰＧデータＤEPGから番組内容データＤPCを構成するＡ１〜Ａ３データＤA1〜ＤA3の中から必要な項目を抽出し、所定フオーマツトのデータ（以下、これをＢデータと呼ぶ）ＤBを作成する（図３）。このＢデータＤBは２種類のフオーマツトを有するデータ（以下、これらをＢ１データ及びＢ２データと呼ぶ）ＤB1及びＤB2から構成され、Ｂ２データＤB2がＢ１データＤB1を参照するようになされている。
さらにＥＰＧ処理部４６Ａは、番組内容データＤPCを参照すると共に、Ｂ１データＤB1及びＢ２データＤB2並びに画面レイアウトデータＤMLに基づいて、ＥＰＧデータＤEPGを表示する画面（以下、これをＥＰＧ画面と呼ぶ）のレイアウトに種々の番組詳細情報を割り当ててなる表示データ（以下、これをＣデータと呼ぶ）ＤC（後述する図３）を作成する。こうして作成されたＥＰＧ画面の表示データはＤＲＡＭ３７Ａにビットマップ形式で書き込まれる。ＤＲＡＭ３７Ａに書き込まれた表示データはＭＰＥＧビデオデコーダ３７によって処理されて表示される。
またブラウザ制御部４６Ｂは、電話回線と接続されたモデム５２及びシステムコントローラ４４を介してインターネツト５上のＷＷＷサーバから伝送されてくるＨＴＭＬデータに基づいて、ホームページのビツトマツプデータを作成し、ＤＲＡＭ３７Ａに書き込むようになされている。ＤＲＡＭ３７Ａに書き込まれた表示データはＭＰＥＧビデオデコーダ３７によって処理されて表示される。
このようにＥＰＧ処理部４６Ａおよびブラウザ制御部４６Ｂは、ＥＰＧ画面及びホームページのビツトマツプデータを処理することにより、ＥＰＧ画面及びホームページの閲覧ができるように表示処理を行うことができる。
またＥＥＰＲＯＭ（Ｅｌｅｃｔｒｉｃａｌｌｙ  Ｅｒａｓａｂｌｅ  Ｐｒｏ−ｇｒａｍｍａｂｌｅ  Ｒｅａｄ  Ｏｎｌｙ  Ｍｅｍｏｒｙ）５０には、電源オフ後も保持しておきたいデータ、例えばユーザがメニユー画面によつて各種設定を行つたときの各種設定データ（例えば、ユーザによつて設定された好みのチヤンネルデータ）や、所定の操作が行われる直前に受信していたチヤンネル番号（ラストチヤンネル）が適宜記憶される。
またシステムコントローラ４４は、スリープモードが設定されている場合、電源オフ時であつても、フロントエンド３０、デマルチプレクサ３６、データバツフアメモリ５１等の最低限の回路を動作状態とし、受信信号に含まれる時刻情報から現在時刻を計時して、所定の時刻に各回路に所定の動作をさせる制御なども実行することができる。例えば、外部のＶＣＲと連動してタイマ自動録画を実行することもできる。
さらにシステムコントローラ４４は、所定の管面表示用（ＯＳＤ：Ｏｎ−Ｓｃｒｅｅｎ  Ｄｉｓｐｌａｙ）データを発生したいときはＭＰＥＧビデオデコーダ３７を制御する。つまりシステムコントローラ４４は、所定の管面表示用データを生成して、ＭＰＥＧビデオデコーダ３７のＤＲＡＭ３７Ａの管面表示用データエリアにビツトマツプデータとして書き込む。これにより、所定の文字、図形、画像などを適宜モニタ装置２３の表示画面２３Ａに出力して表示させることができる。
またＳＲＡＭ４９は、システムコントローラ４４のワークメモリとして使用される。モデム５２は、システムコントローラ４４の制御のもとに、電話回線を介してデータを授受する。
（６）ＥＰＧデータの表示変換処理
ここで図６に示すマルチメデイアプロセツサ４６において、放送波Ｓ１を受信することにより得られたＥＰＧデータＤEPGからＣデータＤCを作成し、ＥＰＧ画面のビツトマツプデータの作成等の表示変換処理を行うまでのデータ処理過程について説明する。
図６に示すパラボラアンテナ２０、フロントエンド３０、デマルチプレクサ３６、システムコントローラ４４を介してマルチメデイアプロセツサ４６内のメモリ４６Ｃに記憶されたＡ１データＤA1、Ａ２データＤA2及びＡ３データＤA3は、ＥＰＧ処理部４６Ａによって表示画面のレイアウトに対応してそれらのデータから必要な項目が抽出され、Ｂ１データＤB1及びＢ２データＤB2が作成される。
Ｂ１データＤB1及びＢ２データＤB2の各データ構成及びデータ内容は、画面レイアウトデータＤMLに基づくＥＰＧ画面のレイアウトに応じて異なり、例えばＥＰＧ画面のレイアウトが画面レイアウトデータＤMLに基づいて、図７Ｃに示すような所定のチャンネルの１日の番組を表示する番組表画面を構成しようとする場合、Ｂ１データＤB1には図７Ａに示すような２４時間分の番組枠がとられる。
すなわちこのＢ１データＤB1は、Ｂ１データであることを示す「Ｂ１データタグ」、Ｂ１データのシリアル番号である「Ｂ１データシリアルＮＯ」、Ｂ１データに対応するＢ２データのシリアル番号である「Ｂ２データシリアルＮＯ」、「放送日」、「放送局」、所定の時間毎に設定された番組枠「０：００番組枠」、「０：１０番組枠」、……、「２３：５０番組枠」、「ＣＭ♯１」〜「ＣＭ♯Ｋ」等から構成される。この場合ＣＭ♯１〜ＣＭ♯Ｋには、番組表の各番組欄に対応するＣＭタグＮＯが割り当てられている。
またＢ２データＤB2は、Ｂ１データＤB1を参照して得られるデータであり、図７Ｂに示すように、Ｂ２データであることを示す「Ｂ２データタグ」、Ｂ２データのシリアル番号である「Ｂ２データシリアルＮＯ」、Ｂ２データの容量を示す「Ｂ２データ容量」、Ａ１データのシリアルＮＯが記述される「スタツク♯１」〜「スタック♯Ｎ」から構成される。そして図７Ｃに示すような画面レイアウトの番組表画面を表示する場合には、例えばスタツク♯１〜♯Ｎには番組表の各時刻に対応するＡ１データのシリアルＮＯが入れられる。
一方、ＥＰＧ画面のレイアウトが画面レイアウトデータＤMLに基づいて、図８Ｃに示すような番組の詳細な情報を表示する番組詳細情報画面を構成する場合、ＥＰＧ処理部４６Ａ（図６）は、カテゴリ別に番組詳細情報を表示する番組を探索し、所定のカテゴリに対応するＡ１データのシリアルＮＯをＢ２データの各スタツクに入れる。
またＢ１データＤB1には、図８Ａに示すように表示番組数分の番組詳細情報の枠が設けられ、番組詳細情報の枠に対応してＢ２データのスタツクＮＯが割り当てられる。このＢ１データＤB1は、Ｂ１データであることを示す「Ｂ１データタグ」、Ｂ１データのシリアル番号である「Ｂ１データシリアルＮＯ」、Ｂ１データに対応するＢ２データのシリアル番号である「Ｂ２データシリアルＮＯ」、「カテゴリ」、「ページ」、「番組詳細情報♯１」〜「番組詳細情報♯６」及び「ＣＭ♯１」〜「ＣＭ♯６」から構成される。この場合ＣＭ♯１〜ＣＭ♯６には、番組詳細情報♯１〜番組詳細情報♯６に対応するＣＭ情報が割り当てられている。一方、Ｂ２データＤB2は、上述した番組表画面の場合（図７Ｂ）と同様のフオーマツトから構成される（図８Ｂ）。
このようにして作成されたＢ１データＤB1及びＢ２データＤB2と、画面レイアウトデータＤMLを用いて、ＥＰＧ処理部４６ＡはＣデータ（表示データ）ＤCを作成する。このＣデータＤCは、Ｂ１データＤB1及びＢ２データＤB2を介して、Ａ１データＤA1、Ａ２データＤA2及びＡ３データＤA3を参照する。このようにして生成されたＣデータＤCは、ＥＰＧ画面のビツトマツプデータとしてＤＲＡＭ３７Ａに記憶され、上述の如くＭＰＥＧビデオデコーダ３７により読み出されてモニタ装置２３のＥＰＧ画面に表示される。
なおこの場合、ＣデータＤCが参照する画面レイアウトデータとしては、伝送されてくる画面レイアウトデータＤML以外にも、マルチメデイアプロセツサ４６内のメモリに予め格納された標準の画面レイアウトデータＤML′を参照するようにしても良い（図３）。
因みに、ＣデータＤCが作成されるまでのデータの参照過程を図９に示す。この場合、図の矢印はデータが参照される方向を示しており、まずＡ３データＤA3はＡ１データＤA1及びＡ２データＤA2に参照され、Ａ２データＤA2はＡ１データＤA1に参照され、またＡ１データＤA1はＢ２データＤB2に参照され、さらにＢ２データＤB2はＢ１データＤB1によつて参照されている。続いてＢ１データＤB1及び画面レイアウトデータＤMLはＣ１データＤCによつて参照されている。従つてＣデータＤCは、Ｂ１データＤB1、Ｂ２データＤB2、Ａ１データＤA1及びＡ２データＤA2を順次介してＡ３データＤA3を参照することができる。
（７）電子番組ガイド情報の活用
図５において、ユーザはリモートコマンダ２４を操作することによつてモニタ装置２３の表示画面２３Ａに表示し得る複数チヤンネルの中から電子番組ガイド情報（ＥＰＧデータＤEPG）を示す情報提供番組のチヤンネルを選択し、これを表示画面２３Ａに表示させることができる。
ここで図１０は、リモートコマンダ２４の構成を示し、リモートコマンダ２４の上部には後述する各種キー操作に対応するＩＲ信号を発信するＩＲ信号発信部２４Ａが設けられている。このリモートコマンダ２４には、受信復号装置２１及びモニタ装置２３の電源をそれぞれオン又はオフするための電源キーＫ１及びテレビ電源キーＫ２と、音声をミユート又はミユート解除するための消音キーＫ３と、リモートコマンダ２４の各スイツチの機能を受信復号装置２１に対応する機能にするか、又はモニタ装置２３に対応する機能にするかを切り換えるための切換キーＫ４及びＫ５と、受信復号装置２１への入力を切り換えるための入力切換キーＫ６と、モニタ装置２３の画面２３Ａにチヤンネル番号等（ステーシヨンロゴ、タイトル名を含む）を表示又は表示消去するための画面表示キーＫ７と、モニタ装置２３から出力する音声を２か国語放送又は多重放送の番組において主音声、副音声、主＋副音声（外国語、又は日本語若しくは外国語）に切り換えるための二重音声キーＫ８と、０〜９が表示され、各々のキーに表示されている数字を入力するためのテンキーＫ９と、テンキーＫ９の操作が完了したとき、数字入力終了及びその入力した数字がチヤンネルを表すことを確認するための選局キーＫ１０とが設けられている。
さらにリモートコマンダ２４には、モニタ装置２３に受信復号装置２１の各種設定を行うときのメニユー画面を表示させるためのメニユーキーＫ１１と、電子番組ガイド情報のうち番組説明情報を表示させるための番組詳細キーＫ１２と、今後放送される予定の番組の予告を表示させるためのガイドチヤンネルの予告キーＫ１３と、予めユーザが登録したチヤンネルのステーシヨンロゴの一覧を表示させるための好み一覧キーＫ１４と、電子番組ガイドを基にした番組表を表示させるための番組表キーＫ１５と、予約されている番組を表示させるための予約一覧キーＫ１６と、モニタ装置２３の画面２３Ａ上に表示されるカーソル等を上下左右に移動させる（方向操作させる）ためのカーソルキーＫ１７〜Ｋ２０と、カーソルキーＫ１７〜Ｋ２０の操作によりカーソル移動させた欄を選択決定するためのセレクト（決定）キーＫ２１と、音量又はチヤンネルの番号を増減するための音量アツプダウンキーＫ２２及びチヤンネルアツプダウンキーＫ２３とが設けられている。
ここでシステムコントローラ４４は、図１１に示す電子番組ガイドの表示処理手順ＲＴ１に従つて、モニタ装置２３の表示画面２３Ａに電子番組ガイドを表示することができる。
すなわちシステムコントローラ４４は、受信復号装置２１の電源がオン状態にされると、この表示処理手順ＲＴ１をステツプＳＰ０において開始し、続くステツプＳＰ１においてリモートコマンダ２４の番組表キーＫ１５が選択されたか否かを判断する。
そしてシステムコントローラ４４は、このステツプＳＰ１において肯定結果を得ると、ステツプＳＰ２に進んで受信復号装置２１に供給されたＥＰＧデータＤEPG（すなわち番組内容データＤPC及び画面レイアウトデータＤML）をマルチメデイアプロセツサ４６内のメモリ４６Ｃに記憶した後、ステツプＳＰ３に進む。
これに対してステツプＳＰ１において否定結果を得た場合、システムコントローラ４４は再度ステツプＳＰ１に戻り、リモートコマンダ２４の番組表キーＫ１５が選択されるのを待つ。
次いでＥＰＧ処理部４６Ａはシステムコントローラ４４の制御のもと、ステツプＳＰ３に進んで、番組内容データＤPCを構成するＡ１〜Ａ３データＤA1〜ＤA3の中から画面レイアウトデータＤMLに基づく表示画面のレイアウトに必要な項目を抽出する。こうして抽出されたデータを用いてＢデータＤBを作成した後、ステツプＳＰ４に進む。
このステツプＳＰ４において、ＥＰＧ処理部４６Ａは、画面レイアウトデータＤMLに基づく表示画面のレイアウトの中にＣＭ表示領域が含まれているか否かを判断する。
そしてＥＰＧ処理部４６Ａは、このステツプＳＰ４において肯定結果を得ると、ステツプＳＰ５に進んで、番組内容データＤPCを構成するＡ３データＤA3の中からＣＭに関するデータＦ１２（図４Ｃ）を参照した後、ステツプＳＰ６に進む。
これに対してシステムコントローラ４４は、ステツプＳＰ４において否定結果を得ると、そのままステツプＳＰ６に進む。
次いでシステムコントローラ４４は、このステツプＳＰ６において、ＢデータＤB及び画面レイアウトデータＤMLに基づいてＣデータＤCを作成し、ＥＰＧ画面のビツトマツプデータを作成する。作成されたビットマップデータは、ステップＳＰ７においてＤＲＡＭ３７Ａに記憶され、ＭＰＥＧビデオデコーダ３７によって表示処理される。この後システムコントローラ４４は、ステツプＳＰ８に進んでこの表示処理手順ＲＴ１を終了する。
このようにしてモニタ装置２３の表示画面２３Ａには、例えば図１２に示すようなＥＰＧ画面Ｍ１を表示することができる。このＥＰＧ画面Ｍ１は、主に番組ガイド領域Ａ1、操作設定領域Ａ2及びＣＭ表示領域Ａ3を有する。
この番組ガイド領域Ａ1には、各放送局ごとに種々の時間帯に応じたテレビ番組のガイド欄が表示され、各番組には所定形式の番組詳細画面が階層的に設定されている。また操作メニユー領域Ａ2には、「サーチ」、「予約」、「設定」及び「戻り」の操作メニユーがそれぞれ表示され、各操作メニユーには所定形式の操作画面が階層的に設定されている。
さらにＣＭ表示領域Ａ3には、番組ガイド領域Ａ1を構成する各ガイド欄に表示された番組の画像と広告契約したＣＭスポンサが提供するＣＭがそれぞれ選択的に表示される。
実際にユーザがリモートコマンダ２４のカーソルキーＫ１７〜Ｋ２０を操作して、番組ガイド領域Ａ1の各ガイド欄のうち、例えば６チヤンネルの「○○テレビ」放送局において午後７：００〜８：５５の時間帯に正規放送される「テレビの××  子だくさん家族５」のガイド欄にカーソルを移動すると、ＣＭ表示領域Ａ3には当該ガイド欄に割り当てられた「テレビの××  子だくさん家族５」に対応するＣＭまたは画像が表示される。
ＣＭ表示領域Ａ3にＣＭが表示される場合には、図４Ａ〜Ｃにおいて、Ａ３データＤA3内のＣＭに関するデータＦ１２が、正規放送用Ｆ１の番組についてのＡ１データＤA1のうち「開始時刻」（午後７：００）、「終了時刻」（午後８：５５）及び「放送局ＮＯ」（６チヤンネル）に対応する「ＣＭタグＮＯ」によつて参照される。さらにＡ３データＤA3内の静止画のデータＦ９が、ＣＭに関するデータＦ１２内の「ＣＭ静止画ＮＯ」によつて参照され、この結果当該「ＣＭ静止画ＮＯ」に対応する静止画データがＥＰＧ画面Ｍ１上のＣＭ表示領域Ａ3にＣＭが表示される。
一方、ＣＭ表示領域Ａ3に画像が表示される場合には、図４Ａ〜Ｃにおいて、Ａ２データＤA2がＡ１データＤA1の内、参照Ａ２データＮＯによって参照され、さらにＡ３データＤA3内の静止画のデータＦ９が、Ａ２データＤA2内の静止画ＮＯによって参照されることによりＥＰＧ画面Ｍ１上のＣＭ表示領域Ａ3に静止画が表示される。尚、動画の場合も同様である。
この状態でユーザが番組詳細キーＫ１２を操作して当該ガイド欄を選択決定すると、当該選択したガイド欄の詳細を表す番組詳細画面Ｍ２が表示される。このとき図４Ａ〜Ｃにおいて、Ａ３データＤA3内の番組詳細情報のデータＦ８が、Ａ２データＤA2のうち「番組詳細情報ＮＯ」によつて参照されると共に、Ａ３データＤA3内の静止画のデータＦ９が、この番組詳細情報についての「静止画ＮＯ」によつて参照される。さらにＡ３データＤA3内の出演者に関するデータＦ７が、Ａ２データＤA2のうち「出演者名ＮＯ〔０〕」〜「出演者名ＮＯ〔Ｎ〕」によつて参照される。
この場合にも番組詳細画面Ｍ２の所定のレイアウト位置にはＣＭ表示領域Ｂ1が表示され、当該ＣＭ表示領域Ｂ1には選択したガイド欄に該当するＣＭが表示される。このとき図４Ａ〜Ｃにおいて、Ａ３データＤA3内のＣＭに関するデータＦ１２が、ＥＰＧ画面Ｍ１上のＣＭ表示領域Ａ3と同じ「ＣＭタグＮＯ」によつて参照されると共に、Ａ３データＤA3内の静止画のデータＦ９が、ＣＭに関するデータＦ１２内の「ＣＭ静止画ＮＯ」によつて参照される。
またユーザがリモートコマンダ２４のカーソルキーＫ１７〜Ｋ２０を操作して、操作メニユー領域Ａ2の各操作メニユーのうち、例えば「サーチ」の操作メユーにカーソルを移動させた後、セレクトキーＫ２１を操作して当該操作メニユーを選択決定すると、当該選択した操作メニユーの操作方法を表す操作画面Ｍ３が表示される。
さらにこの操作画面Ｍ３の所定のレイアウト位置にはＣＭ表示領域Ｃ1が表示され、当該ＣＭ表示領域Ｃ1にはサーチ操作によつて検索されたガイド欄に応じたＣＭが表示される。
このようにしてＥＰＧ画面Ｍ１、番組詳細画面Ｍ２及び操作画面Ｍ３の各ＣＭ表示領域Ａ3、Ｂ1及びＣ1には、画面毎に異なったＣＭが表示される。
さらにユーザはリモートコマンダ２４を操作して各ＣＭ表示領域Ａ3、Ｂ1及びＣ1をカーソルを合わせてクリツクすると、当該各ＣＭ表示領域Ａ3、Ｂ1及びＣ1に表示されたＣＭの詳細情報を表すホームページをインターネツト５上のＷＷＷサーバから入手して、モニタ装置２３の表示画面２３Ａに表示させることができる。
この場合、システムコントローラ４４は、図１３に示すＣＭ情報の表示処理手順ＲＴ２に従つて、各ＣＭ表示領域Ａ3、Ｂ1及びＣ1に表示されたＣＭの詳細情報を表すホームページをモニタ装置２３の表示画面２３Ａに表示させる。
すなわちシステムコントローラ４４は、モニタ装置２３の表示画面２３ＡにＥＰＧ画面Ｍ１、番組詳細画面Ｍ２又は操作画面Ｍ３が表示された状態においてリモートコマンダ２４のカーソルキーＫ１７〜Ｋ２０が操作され、各ＣＭ表示領域Ａ3、Ｂ1又はＣ1にカーソルが移動されると、この表示処理手順ＲＴ２をステツプＳＰ１０において開始し、続くステツプＳＰ１１において、リモートコマンダ２４のセレクトキーＫ２１がクリツクされたか否かを判断する。
そしてシステムコントローラ４４は、このステツプＳＰ１１において肯定結果を得ると、ステツプＳＰ１２に進んでマルチメデイアプロセツサ４６内のメモリ４６Ｃに格納されている番組内容データＤPCのうちＡ３データＤA3（図４Ｃ）のデータＦ１２から各ＣＭ表示領域Ａ3、Ｂ1又はＣ1に表示されたＣＭに対応するＵＲＬ情報をそれぞれ読み出す。
これに対してステツプＳＰ１１において否定結果を得た場合、システムコントローラ４４は再度ステツプＳＰ１１に戻り、リモートコマンダ２４のセレクトキーＫ２１がクリツクされるのを待つ。
次いでシステムコントローラ４４は、ステツプＳＰ１３に進んでマルチメデイアプロセツサ４６内のブラウザ制御部４６Ｂを起動する。こうして起動されたブラウザ制御部４６Ｂは指定されたＵＲＬ情報に対応するページのアクセスをモデム５２を介して行なう。これにより所望のＣＭスポンサの端末装置６から得られるホームページのＨＴＭＬデータはブラウザ制御部４６Ｂによって表示処理され、ビツトマツプ形式でＤＲＡＭ３７Ａに記憶される（ステツプＳＰ１４）。
このようにしてＤＲＡＭ３７Ａに記憶されたビツトマツプデータはＭＰＥＧビデオデコーダ３７によって読み出されて表示画面２３Ａに表示される。このときの表示方法としては、図１４Ａ〜Ｃに示すように、画面全体表示、２分割表示、及びオーバーレイ（下のＥＰＧ画面Ｍ１が透過して見える）表示の３通りの表示方法が考えられ、ユーザの選択により表示方法が選定される。その後、処理はステツプＳＰ１５に進んでこの表示処理手順ＲＴ２を終了する。
（８）実施の形態の動作及び効果
以上の構成において、モニタ装置２３の表示画面２３ＡにＥＰＧ画面Ｍ１が表示された状態で、ユーザは当該ＥＰＧ画面Ｍ１に表示された複数の番組の中から興味を持つた番組にカーソルを合わせ、リモートコマンダ２４のセレクトキーＫ２１をクリツクすることによつてカーソルが合わせられた番組の詳細情報が番組詳細情報Ｍ２として表示画面２３Ａに表示される。
このような一連の操作において、ユーザが興味を持つた番組（すなわちカーソルが合わせられた番組）を提供するスポンサのＣＭがＥＰＧ画面Ｍ１のＣＭ表示領域Ａ3に表示され、さらにその後表示画面２３Ａに表示される番組詳細画面Ｍ２のＣＭ表示領域Ｂ1にも当該番組を提供するするスポンサのＣＭが表示される。かくしてＥＰＧ画面Ｍ１及び番組詳細画面Ｍ２において、ユーザが注目する番組の提供スポンサのＣＭが、ユーザの番組を選択操作に応じて表示される。
さらにユーザはリモートコマンダ２４を操作してＣＭ表示領域Ａ3、Ｂ1又はＣ1上にカーソルを合わせ、続いてセレクトキーＫ２１をクリツクすると、ＣＭの詳細情報を表すホームページを表示させることができる。
このようにデイジタル放送を介して伝送される情報のうちユーザが所望する情報をいつでもインターネツトを介して入手することができ、この結果デイジタル放送を介して伝送される情報を全て蓄積しておくことによる受信装置側の構成の大型化及び煩雑化を防止することができると共に、デイジタル放送を介して伝送される情報を増やさなくても済む。
以上の構成によれば、ＥＰＧ画面を用いた番組の検索時において、ユーザが関心を持つた番組の提供スポンサのＣＭをユーザに観せることができると共に、ユーザが選択した所望のＣＭについての詳細情報を必要に応じてインターネツトを介して容易に入手することができる。
（９）他の実施の形態
なお上述の実施の形態においては、テレビジヨン放送を放送局内の送信装置２から衛星中継器３を介して放送波によつて伝送するシステムに本発明を適用したが、本発明はこれに限らず、放送局内の送信装置２から地上波回線又は地上有線回線を介して伝送するようにしても良い。
また図１５に示すような番組ガイド表示装置６０をテレビ配線６１を介してテレビジヨン受信装置（図示せず）に接続し、ＥＰＧデータＤEPGが記録されたＤＶＤ−ＲＯＭやＣＤ−ＲＯＭ等の情報記録媒体６２を当該番組ガイド表示装置６０に装填して、これを読み出すことによりタツチパネル６０Ａに上述した情報提供番組（ＥＰＧ画面Ｍ１、番組詳細画面Ｍ２又は操作画面Ｍ３）と同様の画面を表示させるようにしても良い。この場合、番組ガイド表示装置６０には電話回線６３が接続され、上述と同様にＷＷＷサーバとインターネツト５を介して接続されている。
また上述の実施の形態においては、ＥＰＧ画面Ｍ１、番組詳細画面Ｍ２又は操作画面Ｍ３に表示されるＣＭ表示領域Ａ3、Ｂ1又はＣ1には、それぞれ種々のＣＭのみを表示するようにした場合について述べたが、本発明はこれに限らず、各ＣＭ表示領域Ａ3、Ｂ1又はＣ1にはＣＭと共にそれぞれ対応するＵＲＬ情報を文字表示するようにしても良い。
さらに上述の実施の形態においては、ＥＰＧ画面Ｍ１、番組詳細画面Ｍ２又は操作画面Ｍ３に表示されるＣＭ表示領域Ａ3、Ｂ1又はＣ1には、それぞれ種々のＣＭのみを画面表示するようにした場合について述べたが、本発明はこれに限らず、図１２に示すように、ＣＭ表示領域Ａ3、Ｂ1又はＣ1にカーソルを合わせることにより、ＣＭに対応した音声をモニタ装置２３に設けられた音声出力手段（スピーカＳP）から放音するようにしても良い。
実際に例えば図１２に示すＥＰＧ画面Ｍ１に表示された音声出力領域Ａ4に、ユーザがリモートコマンダ２４を操作してカーソルを合わせてクリツクすると、このときＣＭ表示領域Ａ3に表示されているＣＭ「Ｋ△△△Ｎ  ○○××のビール」に対応する音声がスピーカＳPから放音される。
この場合図４Ａ〜Ｃにおいて、Ａ３データＤA3内のＣＭに関するデータＦ１２が、正規放送用Ｆ１の番組についてのＡ１データＤA1のうち「開始時刻」（午後７：００）、「終了時刻」（午後８：５５）及び「放送局ＮＯ」（６チヤンネル）に対応する「ＣＭタグＮＯ」によつて参照される。さらにＡ３データＤA3内の音声データＦ１０が、ＣＭに関するデータＦ１２内の「ＣＭ音声ＮＯ」によつて参照され、この結果当該「ＣＭ音声ＮＯ」に対応する音声がスピーカＳPから放音される。
さらに上述の実施の形態においては、図４Ａ〜Ｃにおいて、ＣＭに関するデータＦ１２内の「ＣＭ静止画ＮＯ」がＡ３データＤA3内の静止画のデータＦ９を参照することにより、当該「ＣＭ静止画ＮＯ」に対応する静止画データをＥＰＧ画面Ｍ１上のＣＭ表示領域Ａ3に表示するようにした場合について述べたが、本発明はこれに限らず、ＣＭに関するデータＦ１２内の「ＣＭ動画ＮＯ」がＡ３データＤA3内の動画のデータＦ１１を参照することにより、当該「ＣＭ動画ＮＯ」に対応する動画データをＥＰＧ画面Ｍ１上のＣＭ表示領域Ａ3に表示するようにしても良い。さらに番組詳細画面Ｍ２上のＣＭ表示領域Ｂ1及び操作画面Ｍ３上のＣＭ表示領域Ｃ1についても同様に静止画のみならず動画を表示するようにしても良い。
さらに上述の実施の形態においては、ＥＰＧ画面Ｍ１上のＣＭ表示領域Ａ3には、番組ガイド領域Ａ1を構成する各ガイド欄に表示された番組と広告契約したＣＭスポンサが提供するＣＭがそれぞれ選択的に表示されるようにした場合について述べたが、本発明はこれに限らず、単一の番組に対して複数のＣＭを順番に表示するようにしても良い。さらに番組詳細画面Ｍ２上のＣＭ表示領域Ｂ1及び操作画面Ｍ３上のＣＭ表示領域Ｃ1についても同様に単一の番組に対して複数のＣＭを順番に表示するようにしても良い。
これらの場合、図４Ａ〜Ｃにおいて、Ａ１データＤA1内に「ＣＭタグＮＯ」を複数入れておき、これら「ＣＭタグＮＯ」が順番にＡ３データＤA3内のＣＭに関するデータＦ１２を参照するようにすれば、単一の番組に対して複数のＣＭを順番に時間的にずらして表示することができる。
さらに上述の実施の形態においては、各番組の情報と共に表示される配布情報として、対応する番組を提供するスポンサの広告情報（ＣＭ）を適用した場合について述べたが、本発明はこれに限らず、例えば「自動車レース」の番組において「レース用自動車」の最新情報のように、対応する番組についてさらに詳細な情報や最新の情報等を広く提供する情報であればその他種々の配布情報に広く適用できる。
さらに上述の実施の形態においては、モニタ装置２３の表示画面２３Ａに表示する各番組の情報（ＥＰＧデータ）と共に表示された配布情報（ＣＭ情報）を指定する指定手段として、リモートコマンダ２４を適用した場合について述べたが、本発明はこれに限らず、タツチパネルのパネル面をユーザが選択押圧することにより所望の配布情報を指定するようにしても良く、また表示画面２３Ａ上にカーソルを移動させてクリツク操作することにより所望の配布情報を指定するようにしても良い。
さらに上述の実施の形態においては、ＥＰＧデータＤEPGをＭＰＥＧ２システムを用いて伝送するようにした場合について述べたが、本発明はこれに限らず、この他にもＭＰＥＧ１、ＪＰＥＧ等の画像圧縮技術を用いてＥＰＧデータＤEPGを伝送するようにしても良い。
さらに上述の実施の形態においては、ＣＭの詳細情報を提供するコンピユータサーバとして、ＷＷＷサーバを適用した場合について述べたが、本発明はこれに限らず、メール送受信機能を果たすメールサーバや、会議や掲示板等で情報交換機能を示すニユースサーバ、フアイル転送機能を果たすＦＴＰサーバ等の種々のサーバを用いるようにしても良い。さらに受信復号装置２１とコンピユータサーバとを電話回線を介して接続した場合について述べたが、本発明はこれに限らず、電話回線以外にも例えば中継衛星を介してデータを送受信するようにしても良い。
さらに上述の実施の形態においては、コンピユータネツトワークとしてインターネツト５を適用した場合について述べたが、本発明はこれに限らず、この他にもコンピュータネットワークサービス等の種々の通信ネツトワークに広く適用し得る。
産業上の利用可能性
情報伝送方法及びテレビジヨン放送受信装置において、例えば衛星放送システム、地上波放送システム又は有線放送システム等を用いて情報を配信する場合に利用できる。
【図１】
0004195101.tif 000002
【図２】
0004195101.tif 000003
【図３】
0004195101.tif 000004
【図４】
0004195101.tif 000005
【図５】
0004195101.tif 000006
【図６】
0004195101.tif 000007
【図７】
0004195101.tif 000008
【図８】
0004195101.tif 000009
【図９】
0004195101.tif 000010
【図１０】
0004195101.tif 000011
【図１１】
0004195101.tif 000012
【図１２】
0004195101.tif 000013
【図１３】
0004195101.tif 000014
【図１４】
0004195101.tif 000015
【図１５】
0004195101.tif 000016
0004195101.tif 000017